【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
円柱状又は円筒状の給電子の側面が、それぞれ間隔をあけてワイヤが並設されたワイヤ群にまとめて接触して、前記ワイヤ群と被加工物との間の放電により当該被加工物をスライスするマルチワイヤ放電加工装置における、前記給電子が装着される給電ユニットであって、
前記給電子が装着され固定される給電子固定ブロックであって、前記給電子の側面で、前記給電子の軸に沿って延在して設けられた給電子固定ブロックと、
前記給電子固定ブロックの側面で、前記給電子固定ブロックが前記延在した方向に沿って延在して設けられ、前記給電子固定ブロックを支持するプレートと、
前記給電子固定ブロックと前記プレートとの間に設けられた締結部であって、前記給電子固定ブロックと前記プレートとを締結する締結部と、
前記プレートと前記給電子固定ブロックとの間の位置で、かつ、前記締結部が設けられた位置から前記給電子の軸方向に偏移した位置に設けられた軸方向調整機構と、
を備え、
前記給電子と前記給電子固定ブロックは、前記ワイヤ群と前記プレートとの間に設けられ、
前記給電子は、前記ワイヤ群と前記給電子固定ブロックとの間に設けられ、
前記軸方向調整機構は、前記軸方向調整機構が設けられた位置における前記給電子固定ブロックを前記プレートに対して上下に移動し、これにより、前記軸方向調整機構が設けられた位置における前記給電子固定ブロックと前記プレートとの間の間隔を、前記締結部が設けられた位置における前記給電子固定ブロックと前記プレートとの間の間隔よりも長くする又は短くすることを特徴とする給電ユニット。
【請求項２】
前記プレートを、前記プレートの面であって前記締結部が設けられた面に対して交差する方向であって、前記ワイヤ群の方向に移動させる移動部を更に備えることを特徴とする請求項１に記載の給電ユニット。
【請求項３】
前記移動部は、前記プレートを、前記プレートの面であって前記締結部が設けられた面に対して交差する方向であって、前記ワイヤ群の方向に移動させる楕円状のカムを備え、
前記プレートは、前記カムと、前記給電子固定ブロックとの間に設けられていることを特徴とする請求項２に記載の給電ユニット。
【請求項４】
前記移動部により移動された前記プレートを当該移動された位置に固定する固定部を更に備えることを特徴とする請求項２又は３に記載の給電ユニット。
【請求項５】
前記給電子を前記給電子固定ブロックに固定する第１の固定部材を更に備えることを特徴とする請求項１乃至４の何れか１項に記載の給電ユニット。
【請求項６】
前記給電子は、円柱状の給電子であって、前記円柱状の給電子の内側は前記給電子の外周の部材よりも電気抵抗の低い部材であり、前記円柱状の軸方向の給電子の両端にも当該部材が設けられた給電子であり、
前記円柱状の軸方向の給電子の両端に設けられた当該部材の両方又はいずれか一方を前記給電子固定ブロックに固定する第２の固定部材を更に備えることを特徴とする請求項１乃至４の何れか１項に記載の給電ユニット。
【請求項７】
前記給電子は、円筒状の給電子であり、
前記円筒状の給電子の内部の空間に挿入されるシャフトであって、前記給電子の部材よりも電気抵抗の低い部材で構成され、前記給電子の軸方向の長さよりも長いシャフトを更に備え、
前記円筒状の給電子の内部の空間に挿入されたシャフトの部位であって、前記給電子の前記内部の空間から前記軸方向にはみ出したシャフトの部位を前記装着部に固定する第３の固定部材を更に備えることを特徴とする請求項１乃至４の何れか１項に記載の給電ユニット。
【請求項８】
前記電気抵抗の低い部材は、銅、又はステンレスを含む材料を含むことを特徴とする請求項６又は７に記載の給電ユニット。
【請求項９】
前記軸方向調整機構は、前記給電子固定ブロックと前記プレートとの間の位置に設けられた高さ調整用ねじを備え、
前記給電子固定ブロックは、前記高さ調整用ねじのねじ穴を備え、
前記プレートは、前記高さ調整用ねじのねじ穴を備えていないことを特徴とする請求項１乃至８の何れか１項に記載の給電ユニット。
【請求項１０】
前記軸方向調整機構は、前記ワイヤ群側から前記給電ユニットを見た時に、前記給電子固定ブロックの位置であって、前記給電子から離れた位置に設けられていることを特徴とする請求項１乃至９の何れか１項に記載の給電ユニット。
【請求項１１】
前記軸方向調整機構は、前記ワイヤ群側から前記給電ユニットを見た時に、前記給電子固定ブロックの位置であって、前記給電子と重ならない位置に設けられていることを特徴とする請求項１乃至１０の何れか１項に記載の給電ユニット。
【請求項１２】
請求項１乃至１１の何れか１項に記載の給電ユニットを備えるマルチワイヤ放電加工装置。
【手続補正２】
【補正対象書類名】明細書
【補正対象項目名】０００１
【補正方法】変更
【補正の内容】
【０００１】
本発明は、給電ユニット、マルチワイヤ放電加工装置に関し、特に、円柱状又は円筒状の給電子の側面が、それぞれ間隔をあけてワイヤが並設されたワイヤ群にまとめて接触する当該給電子と当該ワイヤ群との接触圧のばらつきを低下させる技術に関する。
【手続補正３】
【補正対象書類名】明細書
【補正対象項目名】００１０
【補正方法】変更
【補正の内容】
【００１０】
本発明は、円柱状又は円筒状の給電子の側面が、それぞれ間隔をあけてワイヤが並設されたワイヤ群にまとめて接触する当該給電子と当該ワイヤ群との接触圧のばらつきを低下させるための仕組みを提供することを目的とする。
【手続補正４】
【補正対象書類名】明細書
【補正対象項目名】００１１
【補正方法】変更
【補正の内容】
【００１１】
本発明は、円柱状又は円筒状の給電子の側面が、それぞれ間隔をあけてワイヤが並設されたワイヤ群にまとめて接触して、前記ワイヤ群と被加工物との間の放電により当該被加工物をスライスするマルチワイヤ放電加工装置における、前記給電子が装着される給電ユニットであって、前記給電子が装着され固定される給電子固定ブロックであって、前記給電子の側面で、前記給電子の軸に沿って延在して設けられた給電子固定ブロックと、前記給電子固定ブロックの側面で、前記給電子固定ブロックが前記延在した方向に沿って延在して設けられ、前記給電子固定ブロックを支持するプレートと、前記給電子固定ブロックと前記プレートとの間に設けられた締結部であって、前記給電子固定ブロックと前記プレートとを締結する締結部と、前記プレートと前記給電子固定ブロックとの間の位置で、かつ、前記締結部が設けられた位置から前記給電子の軸方向に偏移した位置に設けられた軸方向調整機構と、を備え、前記給電子と前記給電子固定ブロックは、前記ワイヤ群と前記プレートとの間に設けられ、前記給電子は、前記ワイヤ群と前記給電子固定ブロックとの間に設けられ、前記軸方向調整機構は、前記軸方向調整機構が設けられた位置における前記給電子固定ブロックを前記プレートに対して上下に移動し、これにより、前記軸方向調整機構が設けられた位置における前記給電子固定ブロックと前記プレートとの間の間隔を、前記締結部が設けられた位置における前記給電子固定ブロックと前記プレートとの間の間隔よりも長くする又は短くすることを特徴とする。
【手続補正５】
【補正対象書類名】明細書
【補正対象項目名】００１２
【補正方法】変更
【補正の内容】
【００１２】
本発明によれば、円柱状又は円筒状の給電子の側面が、それぞれ間隔をあけてワイヤが並設されたワイヤ群にまとめて接触する当該給電子と当該ワイヤ群との接触圧のばらつきを低下させることができる。